(57)【要約】【課題】連写撮影時など、一連性の有る画像データを複数の記録媒体に分散して記録する場合に、記録された画像データの管理が容易となる撮像装置を提供する。【解決手段】デジタルカメラの制御部は、一連性の有る画像データを記録する際に作成するフォルダのフォルダ名に、通常記録されたものであるか交互記録（分配記録）されたものであるかを識別する記号（Ｓ又はＤ、第２の識別記号）と、記録媒体内の通し番号（第３の識別記号）と、交互記録時に作成されたフォルダである場合には交互記録（分配記録）の通し番号（第１の識別記号）とを含ませる。【選択図】図３
2007180636.tif 000002
【特許請求の範囲】
【請求項１】
複数の記録媒体のそれぞれにフォルダを作成し、撮影した一連性の有る画像データを各フォルダに分配させて記録する分配記録を行う撮像装置であって、
前記フォルダのフォルダ名に、前記一連性の有る画像データの属性を示す第１の識別記号を含ませる制御部を備えたことを特徴とする撮像装置。
【請求項２】
１つの記録媒体にフォルダを作成し、撮影した一連性の有る画像データをそのフォルダに記録する通常記録と、
複数の記録媒体のそれぞれにフォルダを作成し、撮影した一連性の有る画像データを各フォルダに分配させて記録する分配記録との両方を行う撮像装置であって、
前記フォルダのフォルダ名に、前記通常記録と前記分配記録とを識別する第２の識別記号を含ませる制御部を備えたことを特徴とする撮像装置。
【請求項３】
前記制御部は、前記分配記録を行う際に作成されるフォルダのフォルダ名に、前記一連性の有る画像データの属性を示す第１の識別記号を含ませることを特徴とする請求項２に記載の撮像装置。
【請求項４】
前記制御部は、前記フォルダのフォルダ名に、前記記録媒体内の他のフォルダと識別する第３の識別記号を含ませることを特徴とする請求項１から３いずれか１項に記載の撮像装置。
【請求項５】
前記分配記録とは、２つの記録媒体のそれぞれに１つずつフォルダを作成し、撮影した一連性の有る画像データを各フォルダに交互に記録する交互記録であることを特徴とする請求項１から４いずれか１項に記載の撮像装置。
【発明の詳細な説明】
【技術分野】
【０００１】
本発明は、撮像装置に関するものである。
【背景技術】
【０００２】
近年の撮像装置は、銀塩フィルムを用いたカメラに代わり、撮影した画像を電子データとして記録するデジタルカメラが主流となってきている。そして、デジタルカメラにおいては、高画素数化などが進み、より質の高い画像を撮影できる一方で、撮影により得られる画像データの容量が大きくなり、画像データの記録に必要なメモリ量の増加、画像データを記録する際の記録時間の増大などが問題となってくる。
【０００３】
これらの問題の対策として、複数の記録媒体を利用する撮像装置が提案され、その一例を特許文献１に見ることができる。
【０００４】
特許文献１に記載の発明は、動画撮影が可能な撮像装置において、時間的に連続する動画データを複数の記録媒体に分割して記録する際に、分割された複数の動画データファイルのうち、時間的に前に位置する動画データファイルに対して、時間的に後に位置する動画データファイルを関連付けて記録する手段を備えた撮像装置に関するものである。
【０００５】
特許文献１に記載の発明によると、記録時の状況に応じて複数の記録媒体に分割して記録された、それぞれファイル名の異なる動画データファイルを、視聴する際には自動的に１つのものとして再生させることができる撮像装置が提供される。
【特許文献１】特開２００４−３２８０３４号公報
【発明の開示】
【発明が解決しようとする課題】
【０００６】
ところで、近年の撮像装置においては、連写撮影を行う際の、連写速度の高速化も進んでいる。連写速度の高速化には、画像データを記録媒体へ記録する際の記録時間が重要な要素となる。何故なら、記録にかかる時間が長いと、連写によって撮影された画像の記録媒体への記録が間に合わず、結果として連写速度を遅くして対処するしかないからである。
【０００７】
しかしながら、デジタルカメラにおいて進んでいる高画素数化などは、一般的には画像データを記録媒体へ記録する際の記録時間を増大させる。そこで、連写速度を高速化するために、連写によって得られる一連性のある画像データを２つの記録媒体に交互に記録することができる撮像装置が知られている。
【０００８】
しかしながら、連写によって得られる一連性のある画像データを２つの記録媒体に交互に記録することができる撮像装置においては、連写によって得られる一連性のある画像データが２つの記録媒体に分散して記録されるため、ユーザーにとっては画像データの管理が困難となる。
【０００９】
以上の問題点を鑑みて、本発明においては、連写撮影時など、一連性の有る画像データを複数の記録媒体に分散して記録する場合に、記録された画像データの管理が容易となる撮像装置を提供することを目的とする。
【課題を解決するための手段】
【００１０】
本発明においては、撮像装置は、複数の記録媒体のそれぞれにフォルダを作成し、撮影した一連性の有る画像データを各フォルダに分配させて記録する分配記録を行う撮像装置であって、前記フォルダのフォルダ名に、前記一連性の有る画像データの属性を示す第１の識別記号を含ませる制御部を備えたことを特徴とする。
【００１１】
これによると、例えば、連写撮影のできる撮像装置によって１０連写が行われ、この結果得られた１０枚の画像データ（一連性の有る画像データ）が、２つの記録媒体に１つずつ作られたフォルダに５枚ずつ分配記録された場合に、制御部は、この２つのフォルダのフォルダ名に、一連性のある画像データの属性を示す識別記号として、その撮像装置による分配記録が何回目であるかを示す数字（第１の識別番号）などを含ませることとなる。そのため、ユーザーは、前記数字が共通のフォルダには、一連性の有る画像データが記録されているとみなすことができる。この例に示すように、フォルダ名に一連性の有る画像データの属性を示す識別記号が含まれることによって、ユーザーは、分配記録が行われた場合に、どのフォルダ同士に一連性の有る画像データが記録されているかを容易に把握できる。
【００１２】
本発明においては、撮像装置は、１つの記録媒体にフォルダを作成し、撮影した一連性の有る画像データをそのフォルダに記録する通常記録と、複数の記録媒体のそれぞれにフォルダを作成し、撮影した一連性の有る画像データを各フォルダに分配させて記録する分配記録との両方を行う撮像装置であって、前記フォルダのフォルダ名に、前記通常記録と前記分配記録とを識別する第２の識別記号を含ませる制御部を備えたことを特徴とする。
【００１３】
これによると、制御部は、例えば、通常記録時に作成されたフォルダのフォルダ名には、通常記録を示すアルファベット（例えばＳ、第２の識別記号）などを含ませ、分配記録時に作成されたフォルダのフォルダ名には、分散記録を示すアルファベット（例えばＤ、第２の識別記号）などを含ませることとなる。そのため、ユーザーは、ある１つのフォルダのフォルダ名を見ただけで、そのフォルダが通常記録時に作成されたのか、分配記録時に作成されたのかを把握することができる。
【００１４】
本発明においては、上記構成の撮像装置において、前記制御部は、前記フォルダのフォルダ名に、前記記録媒体内の他のフォルダと識別する第３の識別記号を含ませることが望ましい。
【００１５】
これによると、制御部は、例えば、そのフォルダがその記録媒体に作成される何個目のフォルダであるかを示す数字（第３の識別記号）などをフォルダ名に含ませることとなる。そのため、ユーザーは、１つの記録媒体内で、各フォルダを明確に識別することができる。
【００１６】
本発明においては、上記構成の撮像装置において、前記分配記録とは、２つの記録媒体のそれぞれに１つずつフォルダを作成し、撮影した一連性の有る画像データを各フォルダに交互に記録する交互記録であってもよい。
【００１７】
これによると、連写速度を高速化するためなどの目的で用いられる交互記録において、記録された画像データの管理が容易となる撮像装置が得られる。
【発明の効果】
【００１８】
本発明の撮像装置によると、連写撮影時など、一連性の有る画像データを複数の記録媒体に分散して記録する場合に、記録された画像データの管理が容易となる。
【発明を実施するための最良の形態】
【００１９】
本発明の実施形態について、図面を用いて説明すれば以下の通りである。
【００２０】
〈デジタルカメラの構成について〉
図１は、本発明の実施形態に係るデジタルカメラ１の概略の構成を示したブロック図である。一方、図２（Ａ）、図２（Ｂ）は、デジタルカメラ１の外観側面図、外観背面図である。図１又は図２（Ａ）、図２（Ｂ）に示すように、デジタルカメラ１は、レンズユニット１１と、レンズ移動制御部１２と、画像処理部１３と、タイミング制御回路１４と、フラッシュ部１５と、画像表示部１６と、外部インターフェース部１７と、操作部１８と、制御部１９と、通信用インターフェース２０と、不揮発性メモリ２１とを含んでいる。
【００２１】
〈レンズユニットについて〉
レンズユニット１１は、被写体からの光線を取り込む撮像光学系ＯＳ１１ａと、この撮像光学系ＯＳで導かれる光線が照射するＣＣＤ（Charged Coupled Device）１１ｂとを含んでいる。
【００２２】
撮像光学系ＯＳ１１ａは、レンズ鏡胴ＬＢ｛図２（Ａ）参照｝に収容されており、被写体の光線を取得するものである。そして、撮像光学系ＯＳ１１ａは、少なくとも、ズーミングを負担するズーミングレンズＺＬと、被写体からの光線を調整するシャッタＳＴと、フォーカシングを負担するフォーカシングレンズＦＬとを含んでいる。
【００２３】
ＣＣＤ１１ｂは、撮像光学系ＯＳ１１ａによって取り込まれた光線を受光し、電気的信号に変換させるものである（すなわち光電変換素子である）。なお、ＣＣＤ１１ｂは、赤色（Ｒ）光、緑色（Ｇ）光、青色（Ｂ）光をそれぞれ選択的に受ける３種の画素を多数有する構成になっている。
【００２４】
〈レンズ移動制御部について〉
レンズ移動制御部１２は、ズーミング及びフォーカシングのために、撮像光学系ＯＳ１１ａのレンズを適宜移動させるものである。そして、レンズ移動制御部１２は、各種モータ（１２ａ〜１２ｃ）と、それに対応するモータ制御回路（１２ｄ〜１２ｆ）と、レンズ位置検出回路１２ｇとを含んでいる。
【００２５】
モータは、具体的には、ズーミングレンズＺＬを移動させるズーム用モータＺＭ１２ａ、シャッタＳＴを開閉させるシャッタ用モータＳＭ１２ｂ、及び、フォーカシングレンズＦＬを移動させるフォーカス用モータＦＭ１２ｃである。
【００２６】
モータ制御回路は、具体的には、ズーム用モータＺＭ１２ａを駆動制御することでズーミングなどを制御するズーム用モータＺＭ制御回路１２ｄ、シャッタ用モータＳＭ１２ｂを駆動制御することでシャッタ開閉を制御するシャッタ用モータＳＭ制御回路１２ｅ、及び、フォーカス用モータＦＭ１２ｃを駆動制御することでフォーカシングなどを制御するフォーカス用モータＦＭ制御回路１２ｆである。
【００２７】
レンズ位置検出回路１２ｇは、レンズ鏡胴ＬＢの外周面に帯状に付された反射パターン（不図示）に光線を照射するとともに、反射パターンからの反射光を検出するようになっている（例えばフォトリフレクタである）。つまり、レンズ位置検出回路１２ｇは、反射パターンからの反射光の検出によって、各種レンズの位置を検出するようになっている。なお、レンズ位置検出回路１２ｇは、フォトリフレクタのような構成に限定されるものではなく、各種モータの駆動パルスをカウントすることで、各種レンズの位置を検出するようになっていてもよい。
【００２８】
〈画像処理部について〉
画像処理部１３は、ＣＣＤ１１ｂの電子データから画像データを生成するものである。具体的には、画像処理部１３は、信号処理回路１３ａと、Ａ／Ｄコンバータ１３ｂと、画像処理回路１３ｃと、画像メモリ１３ｄとを含んでいる。
【００２９】
信号処理回路１３ａはＣＣＤ１１ｂの各画素の出力するアナログ信号を処理するものであり、Ａ／Ｄコンバータ１３ｂは信号処理回路１３ａからの処理済みのアナログ信号をデジタル信号に変換するものである。画像処理回路１３ｃは黒レベル補正、ホワイトバランス調節、γ補正などの画像処理を行う回路である。また、画像メモリ１３ｄは、信号処理回路１３ａ、Ａ／Ｄコンバータ１３ｂ、画像処理回路１３ｃを経ることによって生成される画像データを一時的に記録するものである。
【００３０】
〈タイミング制御回路について〉
タイミング制御回路１４は、制御部１９から送信される基準クロックに基づき、ＣＣＤ１１ｂ、信号処理回路１３ａ、及びＡ／Ｄコンバータ１３ｂの駆動制御信号を生成するものである。
【００３１】
〈フラッシュ部について〉
フラッシュ部１５は、フラッシュ発光部１５ａと、フラッシュ回路１５ｂとを含んでいる。フラッシュ発光部１５ａは、被写体へ光線を照射することで、被写体からの光（反射光）を増加させ、容易にＣＣＤ１１ｂの撮像を可能にするものである。フラッシュ回路１５ｂは、フラッシュ回路１５ａによる発光を制御する回路である。
【００３２】
〈画像表示部について〉
画像表示部１６は、ＶＲＡＭ（Video Random Access Memory）１６ａと、ＬＣＤ（Liquid Crystal Display）１６ｂと、ＥＶＦ（Electric View Finder）１６ｃとを含んでいる。ＶＲＡＭ１６ａは、撮像光学系ＯＳ１１ａからの被写体光像に基づいて生成された画像データなどを記録するものである。ＬＣＤ１６ｂ・ＥＶＦ１６ｃは、ＶＲＡＭ１６ａに記録されている画像データなどの種々のデータを表示するものである。
【００３３】
〈外部インターフェース部について〉
外部インターフェース部１７は、第１の外部記録媒体装着部１７ａ（以下、第１装着部１７ａ）と、第２の外部記録媒体装着部１７ｂ（以下、第２装着部１７ｂ）とを備えている。そして、第１装着部１７ａには第１の外部記録媒体３０ａ（以下、第１記録媒体３０ａ）が、第２装着部１７ｂには第２の外部記録媒体３０ｂ（以下、第２記録媒体３０ｂ）がそれぞれ装着可能である。つまり、本実施形態に係るデジタルカメラ１においては、２つの外部記録媒体を同時に装着することが可能となる。
【００３４】
〈操作部について〉
操作部１８は、ユーザーによる種々の操作内容を制御部１９に指示するためのボタン、スイッチなどである。そして、操作部１８は、少なくとも、電源スイッチ１８ａと、ズームボタン１８ｂと、モードダイアル１８ｃと、メニューボタン１８ｄと、クイックビューボタン１８ｅと、交互書き込みボタン１８ｆと、レリーズボタン１８ｇ（図２には不図示）と、十字キー１８ｈとを含んでいる。
【００３５】
電源スイッチ１８ａは、デジタルカメラ１全体の起動／停止を制御するスイッチであり、ズームボタン１８ｂはズーミングを操作するボタンである。モードダイアル１８ｃは動画モードと静止画モードとを切り替えるダイアルであり、メニューボタン１８ｄはＬＣＤ１６ｂにメニューを表示するボタンである。このメニューボタン１８ｄが押されることによって表示されるメニューにおいて、単写撮影又は連写撮影のいずれかを選択することができる。また、メニューにおいては、通常記録時の、画像データを記録する記録媒体の選択ができる。なお、単写撮影、連写撮影及び通常記録の詳細については後述する。
【００３６】
クイックビューボタン１８ｅはＬＣＤ１６ｂにライブビューを表示させるためのボタンであり、交互記録ボタン１８ｆは通常記録を行うか交互記録を行うかを選択するためのボタンであり、レリーズボタン１８ｇは各種撮像を開始させるためのボタンである。十字キー１８ｈは、周囲を取り囲む十字キーによって、メニュー表示時にＬＣＤ１６ｂの画像内に表示されるカーソルを移動させ、中心の決定ボタンで選択されたメニューの決定を行うためのキーである。なお、通常記録及び交互記録の詳細については後述する。
【００３７】
〈制御部について〉
制御部１９は、デジタルカメラ１全体の動作制御などを行う中枢部分となっており、デジタルカメラ１の各部材の駆動を有機的に制御して、動作を統括制御｛例えば、動画記録又は静止画記録の切り替え制御など｝するものである。
【００３８】
〈通信用インターフェースについて〉
通信用インターフェース２０は、デジタルカメラ１がサポートする、ＵＳＢなどの仕様に応じたプロトコル変換等の制御を行う。つまり、通信用インターフェース２０を用いることで、ネットワークを含む外部機器との通信が可能となる。
【００３９】
〈不揮発性メモリについて〉
不揮発性メモリ２１は、ＥＥＰＲＯＭ（電気的消去及びプログラム可能なＲＯＭ）やＦＬＡＳＨメモリなどで構成され、デジタルカメラ１の電源がオフの間もデータが保持されるメモリである。本実施形態に係る不揮発性メモリ２１は、交互記録の通し番号を格納するためのものである。なお、交互記録の通し番号の詳細については後述する。
【００４０】
〈画像記録時のフォルダ名設定方法の詳細について〉
次に、デジタルカメラ１の制御部１９による、画像記録時のフォルダ名設定方法の詳細について説明する。本実施形態に係る制御部１９は、交互記録を行う際に作成されるフォルダのフォルダ名に、該交互記録される一連性のある画像データの属性を示す識別記号（第１の識別記号）を含ませることを特徴とする。
【００４１】
また、制御部１９は、フォルダ名に、通常記録された画像を記録するフォルダであるか交互記録された画像を記録するフォルダであるかを識別する識別記号（第２の識別記号）と、該フォルダが作成される記録媒体内の他のフォルダと識別する識別記号（第３の識別記号）とを含ませることを特徴とする。
【００４２】
これらの特徴の説明のための準備として、まず、単写撮影と連写撮影とについて説明する。単写撮影と連写撮影とは、メニューボタン１８ｄが押されることによって表示されるメニューにおいて、いずれか一方を選択することが可能である。単写撮影とは、通常の撮影であり、レリーズボタン１８ｇが一回押されると、一回の撮影が行われるものである。一方、連写撮影とは、０．１秒などの間隔で複数回の連続撮影が行われるものである。
【００４３】
連写撮影の方法は様々な種類があるが、代表的なものとしては、レリーズボタン１８ｇを押している間は、ある一定の時間間隔で連続して撮影が行われるものが挙げられる。また、他の方法としては、予め連写回数を設定しておいて、レリーズボタン１８ｇが一回押されると、設定回数だけある一定の時間間隔で連続して撮影が行われるものが挙げられる。
【００４４】
ここで、本明細書における、一連性の有る画像データの定義について説明する。連写撮影における一連性の有る画像データとは、連写撮影が、レリーズボタン１８ｇを押している間はある一定の時間間隔で連続して撮影が行われるものである場合には、レリーズボタン１８ｇを押してから離すまでの撮影によって得られる画像データの集合のこととする。
【００４５】
また、連写撮影が、予め連写回数を設定しておいて、レリーズボタン１８ｇが一回押されると、設定回数だけある一定の時間間隔で連続して撮影が行われるものである場合には、レリーズボタン１８ｇを一回押すことによって行われる撮影によって得られる画像データの集合を一連性の有る画像データとする。
【００４６】
また、単写撮影における一連性の有る画像データとは、メニューボタン１８ｄが押されることによって表示されるメニューにおいて、単写撮影が選択された後、レリーズボタン１８ｇが押されることによって一回の撮影が行われたときから、電源がオフされる、あるいは設定変更（単写撮影から連写撮影への変更あるいは交互記録と通常記録との変更）が行われるまでの撮影によって得られる画像データの集合のこととする。
【００４７】
次に、通常記録と交互記録とについて説明する。通常記録は、交互書き込みボタン１８ｆをオフにすることによって行うことができる。本実施形態に係る通常記録とは、１つの記録媒体に１つのフォルダを作成し、撮影した一連性のある画像データをそのフォルダに連続して記録していくものである。なお、通常記録の際に画像データの記録を行う記録媒体の選択は、メニューボタン１８ｄが押されることによって表示されるメニューにおいて行える。
【００４８】
一方、交互記録は、交互書き込みボタン１８ｆをオンにすることによって行うことができ、主に連写撮影時に用いられるものである。本実施形態に係る交互記録とは、第１記録媒体３０ａ及び第２記録媒体３０ｂにそれぞれ１つずつフォルダを作成し、この２つのフォルダに撮影した一連性のある画像データを交互に記録していくものである。デジタルカメラ１は、複数の記録媒体のそれぞれにフォルダを作成し、撮影した一連性の有る画像データを各フォルダに分配させて記録する分配記録の１つである交互記録を行うことができるのである。
【００４９】
連写撮影における連写速度の高速化には、画像データを記録媒体へ記録する際の記録時間が重要な要素となる。何故なら、記録にかかる時間が長いと、連写によって撮影された画像の記録媒体への記録が間に合わず、結果として連写速度を遅くして対処するしかないからである。そのため、連写速度を高速化するために、交互記録が行われているのである。
【００５０】
しかしながら、交互記録を行うと、撮影した一連性の有る画像データが第１記録媒体３０ａと、第２記録媒体３０ｂとに分散して記録されるため、ユーザーにとっては記録された画像データの管理が困難となる。そのため、本実施形態に係る制御部１９は、通常記録又は交互記録を行う際に作成されるフォルダのフォルダ名を、図３に示すような構成とさせる。
【００５１】
すなわち、制御部１９によって定められるフォルダ名は、通常記録された画像を記録するフォルダであるか交互記録された画像を記録するフォルダであるかを示す識別記号ＳまたはＤ（第２の識別記号）と、２桁の記録媒体内のフォルダの通し番号（第３の識別記号）と、２桁の交互記録の通し番号（第１の識別記号）とを含んでいる。
【００５２】
なお、２桁の交互記録の通し番号（第１の識別記号）は、交互記録時に作成されたフォルダのフォルダ名にのみ含まれるものであり、通常記録時に作成されたフォルダのフォルダ名にはアンダーバー以降は含まれないものとする。
【００５３】
図３に示されたフォルダ名は、通常記録された画像を記録するフォルダであるか交互記録された画像を記録するフォルダであるかを示す識別記号を含むので、ユーザーは、ある１つのフォルダのフォルダ名を見ただけで、そのフォルダが通常記録された画像を記録するものであるのか、交互記録された画像を記録するものであるのかを把握することができる。
【００５４】
また、図３に示されたフォルダ名は、記録媒体内のフォルダの通し番号を含むので、ユーザーは、各フォルダを、同じ記録媒体に記録されている他のフォルダと明確に識別することができる。そして、図３に示されたフォルダ名は、交互記録の通し番号を含むので、ユーザーは、どのフォルダ同士が一回の交互記録で作成されたかを容易に把握することができる。
【００５５】
以下では、画像記録時のフォルダ名設定方法を、図４を用いて説明する。図４は、制御部１９による、画像記録時のフォルダ名設定方法の具体例を示す説明図である。なお、以下の具体例は、デジタルカメラ１を初めて使用する場合であり、第１装着部１７ａ及び第２装着部１７ｂに、データの全く記録されていない第１記録媒体３０ａ（以下、記録媒体Ａ）及び第２記録媒体３０ｂ（以下、記録媒体Ｂ）が装着されているとする。そして、初期設定として、メニューボタン１８ｄが押されることによって表示されるメニューにおいて、単写撮影が選択され、通常記録時の画像データを記録する記録媒体として第１記録媒体３０ａが選択されているとする。また、交互書き込みボタン１８ｆはオフとされているとする（通常記録が選択されている）。
【００５６】
このとき、レリーズボタン１８ｇが押されると、制御部１９は、記録媒体ＡにフォルダＳ００を作成する（図４（ａ）参照）。そして、設定変更や電源オフがなされない限り、このフォルダＳ００内に、撮影された画像が記録される。
【００５７】
ここで、Ｓは通常記録を示す識別記号であり、その次の００は記録媒体Ａ内のフォルダの通し番号である。ここで作成されるフォルダは記録媒体Ａに作成される最初のフォルダであるので、通し番号００が付されるのである。また、通常記録であるので、交互記録の通し番号は付されない。
【００５８】
次に、メニューボタン１８ｄが押されることによって表示されるメニューにおいて、連写撮影が選択され、交互書き込みボタン１８ｆがオンにされたとする（交互記録が選択された）。そして、レリーズボタン１８ｇが押されると、制御部１９は、記録媒体ＡにフォルダＤ０１＿００を、記録媒体ＢにフォルダＤ００＿００を作成する（図４（ｂ）参照）。そして、この連写撮影によって撮影された画像は、フォルダＤ０１＿００及びＤ００＿００に交互に記録される。
【００５９】
ここで、両フォルダ名に付されているＤは交互記録を示す識別記号である。そして、記録媒体Ａには、以前にフォルダＳ００が作成されているので、記録媒体Ａ内のフォルダの通し番号は０１である。記録媒体Ｂには、以前に作成されたフォルダがないので、記録媒体Ｂ内のフォルダの通し番号は００である。
【００６０】
また、デジタルカメラ１において、交互記録が初めて行われるので、交互記録の通し番号００がアンダーバーの後ろに付される。なお、交互記録の通し番号は、デジタルカメラ１に備えられた不揮発性メモリ２１に記録され、交互記録が行われる際に値を１加算する構成とする。そして、交互記録の通し番号は９９までいったら００に戻るものとする。また、初期出荷時の不揮発性メモリ２１に記録された交互記録の通し番号は９９とする。こうすると、最初の交互記録時に１加算され、最初に交互記録を行う際の交互記録の通し番号を００とすることができる。
【００６１】
次に、メニューボタン１８ｄが押されることによって表示されるメニューにおいて、単写撮影が選択され、通常記録時の画像データを記録する記録媒体として第２記録媒体３０ｂが選択されたとする。また、交互書き込みボタン１８ｆがオフにされたとする（通常記録が選択された）。そして、レリーズボタン１８ｇが押されると、制御部１９は、記録媒体ＢにフォルダＳ０１を作成する（図４（ｃ）参照）。そして、設定変更や電源オフがなされない限り、このフォルダＳ０１内に、撮影された画像が記録される。
【００６２】
ここで、Ｓは通常記録を示す識別記号であり、その次の０１は記録媒体Ｂ内のフォルダの通し番号である。ここで作成されるフォルダは記録媒体Ｂに作成される２番目のフォルダであるので、通し番号０１が付されるのである。また、通常記録であるので、交互記録の通し番号は付されない。
【００６３】
次に、ユーザーが、第２装着部１７ｂに装着されていた記録媒体Ｂを取り外し、異なる第２記録媒体３０ｂ（以下、記録媒体Ｃ）を装着したとする。なお、この記録媒体Ｃには、データが全く記録されていないとする。
【００６４】
次に、メニューボタン１８ｄが押されることによって表示されるメニューにおいて、連写撮影が選択され、交互書き込みボタン１８ｆがオンにされたとする（交互記録が選択された）。そして、レリーズボタン１８ｇが押されると、制御部１９は、記録媒体ＡにフォルダＤ０２＿０１を、記録媒体ＣにフォルダＤ００＿０１を作成する（図４（ｄ）参照）。そして、この連写撮影によって撮影された画像は、フォルダＤ０２＿０１及びＤ００＿０１に交互に記録される。
【００６５】
ここで、両ファイルに付されているＤは交互記録を示す識別記号である。そして、記録媒体Ａには、以前にフォルダＳ００及びＤ０１＿００が作成されているので、記録媒体Ａ内のフォルダの通し番号は０２である。記録媒体Ｃには、以前に作成されたフォルダがないので、記録媒体Ｂ内のフォルダの通し番号は００である。また、デジタルカメラ１において、交互記録は２回目なので、交互記録の通し番号０１がアンダーバーの後ろに付される。
【００６６】
なお、本実施形態においては、図３に示すとおり、交互記録の通し番号は２桁となっている。そのため、００から始まった交互記録の通し番号が９９まで達すると、次には再び００に戻ってしまう。そのため、異なる交互記録によって作成されたフォルダの交互記録の通し番号が同一となり、ユーザーに混乱が生じる恐れがある。
【００６７】
これについて、図５を用いて以下で説明する。図５は、交互記録の通し番号の問題点に関する説明図である。第１装着部１７ａに第１記録媒体３０ａ（以下、記録媒体Ａ）が装着されており、第２装着部１７ｂに第２記録媒体３０ｂ（以下、記録媒体Ｂ）が装着されており、記録媒体Ａ及び記録媒体Ｂの記録内容と、不揮発性メモリ２１に記録された交互記録の通し番号とが図５（ａ）のようになっている場合を考える。
【００６８】
つまり、記録媒体ＡにはフォルダＳ００及びＤ０１＿００が記録され、記録媒体ＢにはフォルダＤ００＿０１が記録されている。そして、不揮発性メモリ２１に記録された交互記録の通し番号は２０となっている。
【００６９】
このとき、次に交互記録を行う場合、交互記録の通し番号は２０＋１＝２１となるので、図５（ｂ）に示すように、記録媒体ＡにはフォルダＤ０２＿２１が、記録媒体ＢにはフォルダＤ０１＿２１が作成され問題はない。
【００７０】
一方で、記録媒体Ａ及び記録媒体Ｂの記録内容と、不揮発性メモリ２１に記録された交互記録の通し番号とが図５（ｃ）のようになっている場合を考える。つまり、記録媒体ＡにはフォルダＳ００及びＤ０１＿００が記録され、記録媒体ＢにはフォルダＤ００＿０１が記録されている。そして、不揮発性メモリ２１に記録された交互記録の通し番号は９９となっている。
【００７１】
このとき、次に交互記録を行う場合、交互記録の通し番号は９９の次の００となるので、図５（ｄ）に示すように、記録媒体ＡにはフォルダＤ０２＿００が、記録媒体ＢにはフォルダＤ０１＿００が作成される。
【００７２】
ところが、記録媒体Ａには既にフォルダＤ０１＿００が存在するため、記録媒体ＢのフォルダＤ０１＿００と交互記録したフォルダが記録媒体ＡのＤ０１＿００であるのかＤ０２＿００であるのかが、フォルダ名のみからは判断できない。
【００７３】
そのため、交互記録の通し番号が９９から００に戻る際には、制御部１９は、ＬＣＤ１６ｂを介して、ユーザーに交互記録の通し番号を９９から００に戻してよいかを尋ねることとする。そして、ユーザーの許可が得られれば撮影を継続し、ユーザーの許可が得られなければ撮影を停止する。あるいは、通し番号００が存在する場合は、ユーザーが空いている番号を探して、空いている番号があれば撮影を継続するようにしてもよい。
【００７４】
制御部１９による以上の処理を、図１及び図６を用いて説明する。図６は、制御部１９によるフォルダ作成時の処理の流れを示すフローチャートである。なお、以下ではフローチャートのＳＴＥＰ＊をＳ＊と省略して表現することとする。また、デジタルカメラ１は、連写撮影時にのみ交互記録が可能なものとする。
【００７５】
一連性のある画像の撮影が開始されると（Ｓ１）、制御部１９は、第１装着部１７ａへの第１記録媒体３０ａの装着の有無及び第２装着部１７ｂへの第２記録媒体３０ｂの装着の有無を検出する（Ｓ２）。第１記録媒体３０ａ、第２記録媒体３０ｂ共に装着されていない場合、つまり、装着された記録媒体数が０である場合は、制御部１９は、ＬＣＤ１６ｂに警告を表示させ、撮影を中止させる（Ｓ３）。
【００７６】
Ｓ２において、第１記録媒体３０ａ又は第２記録媒体３０ｂのいずれか一方のみが装着されている場合、つまり、装着された記録媒体数が１である場合は、制御部１９は、フォルダ名にＳを付与し（Ｓ４）、装着されている記録媒体内の通し番号を付与し（Ｓ５）、以上によって確定したフォルダ名のフォルダを作成させ、記録を開始させる（Ｓ６）。
【００７７】
第１記録媒体３０ａ及び第２記録媒体３０ｂの両方が装着されている場合、つまり、装着された記録媒体数が２である場合は、制御部１９は、交互記録が設定されているか否かを検出する（Ｓ７）。交互記録が設定されていない場合は、制御部１９は、フォルダ名にＳを付与し（Ｓ８）、通常記録時の、画像データを記録する記録媒体として設定されている記録媒体の記録媒体内の通し番号を付与し（Ｓ９）、以上によって確定したフォルダ名のフォルダを作成させ、記録を開始させる（Ｓ６）。
【００７８】
一方、Ｓ７において交互記録が設定されている場合には、制御部１９は、交互記録の通し番号が９９であり、かつ、デジタルカメラ１による交互記録が初めてでないかどうかを検出する（Ｓ１０）。そして、交互記録の通し番号が９９であり、かつ、デジタルカメラ１による交互記録が初めてでない場合には、制御部１９は、交互記録の通し番号が００に戻ることの是非を、ＬＣＤ１６ｂを介してユーザーに尋ねる（Ｓ１１）。
【００７９】
ユーザーによって交互記録番号が００に戻ることを拒否された場合は、制御部１９は、フォルダ名にＳを付与し（Ｓ８）、通常記録時の、画像データを記録する記録媒体として設定されている記録媒体の記録媒体内の通し番号を付与し（Ｓ９）、以上によって確定したフォルダ名のフォルダを作成させ、記録を開始させる（Ｓ６）。
【００８０】
Ｓ１０において、交互記録の通し番号が９９でない又はデジタルカメラ１による交互記録が初めてである場合、又はＳ１１において交互記録の通し番号が００に戻ることをユーザーに許可された場合には、制御部１９は、交互記録の通し番号を＋１させ（Ｓ１２）、フォルダ名にＤを付与し（Ｓ１３）、それぞれの記録媒体内の通し番号を付与し（Ｓ１４）、交互記録の通し番号を付与し（Ｓ１５）、以上によって確定したフォルダ名のフォルダを作成させ、記録を開始させる（Ｓ６）。
【００８１】
以上においては、デジタルカメラ１は、連写撮影時にのみ交互記録が可能なものとした。しかしながら、単写撮影時にも交互記録が可能な構成としてもよい。
【００８２】
この場合の制御部１９による処理の流れを、図１及び図７を用いて説明する。図７は、単写撮影時にも交互記録が可能な場合の、制御部１９によるフォルダ作成時の処理の流れを示すフローチャートである。なお、図７においては、図６と共通の部分には共通の符号を付して説明を省略する。
【００８３】
図７と図６とが異なる点は、制御部１９による処理ステップとして、Ｓ７において交互記録が設定されていることを検出した後、連写設定がされているか否かを検出するステップＳα及び、Ｓαで単写設定であることを検出した後、単写撮影かつ交互記録であることのユーザーへの確認ステップＳβを含むことである。
【００８４】
つまり、ここでの特徴は、単写撮影かつ交互記録が設定されている場合には、ユーザーへの確認ステップを設けていることである。
【００８５】
上記構成のデジタルカメラ１によると、制御部１９は、画像データを記録する際に作成するフォルダのフォルダ名に、通常記録されたものであるか交互記録されたものであるかを識別する記号（Ｓ又はＤ）を含ませる。したがって、ユーザーは、ある１つのフォルダのフォルダ名を見ただけで、そのフォルダが通常記録時に作成されたのか、交互記録時に作成されたのかを把握することができる。
【００８６】
また、制御部１９は、画像データを記録する際に作成するフォルダのフォルダ名に、記録媒体内のフォルダの通し番号を含ませる。したがって、ユーザーは、１つの記録媒体内で、各フォルダを明確に識別することができる。
【００８７】
更に、制御部１９は、交互記録によって画像データを記録する際に作成するフォルダのフォルダ名に、交互記録の通し番号を含ませる。したがって、ユーザーは、どのフォルダ同士が交互記録に利用されたかを容易に把握することができる。以上より、撮影された画像の管理が容易になるデジタルカメラ１が提供される。
【００８８】
なお、本発明は上記の実施形態に限定されず、本発明の趣旨を逸脱しない範囲で種々の変更が可能である。例えば、本実施形態においては、交互記録の通し番号及び記録媒体内の通し番号は２桁としたが、３桁以上でも構わない。
【産業上の利用可能性】
【００８９】
本発明は、撮像装置に有効である。
【図面の簡単な説明】
【００９０】
【図１】本発明の実施形態に係るデジタルカメラの概略の構成を示したブロック図である。
【図２】図２（Ａ）は、本発明の実施形態に係るデジタルカメラの外観側面図であり、図２（Ｂ）は、本発明の実施形態に係るデジタルカメラの外観背面図である。
【図３】制御部によって付されるフォルダ名の構成を示す説明図である。
【図４】制御部による、画像記録時のフォルダ名設定方法の具体例を示す説明図である。
【図５】交互記録の通し番号の問題点に関する説明図である。
【図６】制御部によるフォルダ作成時の処理の流れを示すフローチャートである。
【図７】単写撮影時にも交互記録が可能な場合の、制御部によるフォルダ作成時の処理の流れを示すフローチャートである。
【符号の説明】
【００９１】
１    デジタルカメラ（撮像装置）
１９    制御部
３０ａ    第１の記録媒体、第１記録媒体（記録媒体）
３０ｂ    第２の記録媒体、第２記録媒体（記録媒体）
【図１】
2007180636.tif 000003
【図２】
2007180636.tif 000004
【図３】
2007180636.tif 000005
【図４】
2007180636.tif 000006
【図５】
2007180636.tif 000007
【図６】
2007180636.tif 000008
【図７】
2007180636.tif 000009